【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
複数の超音波振動子を有する超音波プローブと、
前記超音波振動子各々に駆動信号を供給し、前記各超音波振動子によって発生された各受信エコー信号に基づいて、被走査領域に対応する受信信号を発生する送受信部と、
前記受信信号に基づいて、３次元Ｂモードデータを発生するＢモードデータ発生部と、
前記被走査領域内の各走査線上における深さ、前記被走査領域におけるアジマス方向、前記被走査領域におけるエレベーション方向ごとに決定されたゲイン調整値を用いて、前記３次元Ｂモードデータに対するゲイン調整を実行するゲイン調整部と、
前記ゲイン調整が実行された前記３次元Ｂモードデータを用いて、前記被走査領域における管腔と非管腔との分割に用いられる閾値を決定する閾値決定部と、
前記決定された閾値を用いて、前記ゲイン調整が実行された３次元Ｂモードデータから前記非管腔に関するデータを区別するための閾値処理を実行する閾値処理部と、
前記閾値処理が実行された３次元Ｂモードデータに基づいて、前記管腔に関する超音波画像を発生する画像発生部と、
を具備することを特徴とする超音波診断装置。
【請求項２】
前記ゲイン調整部は、
前記アジマス方向の角度が同一である前記３次元Ｂモードデータを代表する第１の代表値と所定の基準値との第１の差と、
前記エレベーション方向の角度が同一である前記３次元Ｂモードデータを代表する第２の代表値と前記基準値との第２の差と、
前記深さが同一である前記３次元Ｂモードデータを代表する第３の代表値と前記基準値との第３の差とを、前記ゲイン調整値として決定すること、
を特徴とする請求項１に記載の超音波診断装置。
【請求項３】
前記ゲイン調整部は、前記ゲイン調整値の決定に用いられた前記３次元Ｂモードデータとは発生された時刻が異なる３次元Ｂモードデータに対するゲイン調整を実行すること、
を特徴とする請求項１に記載の超音波診断装置。
【請求項４】
前記超音波画像を表示する表示部と、
前記表示された超音波画像をフリーズする操作を入力する入力部とをさらに具備し、
前記ゲイン調整部は、前記入力部を介して入力されたフリーズ操作を契機として、フリーズされた超音波画像に関する３次元Ｂモードデータに基づいて決定された前記ゲイン調整値を用いて、前記フリーズされた超音波画像に関する３次元Ｂモードデータに対するゲイン調整を実行すること、
を特徴とする請求項１に記載の超音波診断装置。
【請求項５】
前記閾値決定部は、
前記ゲイン調整が実行された前記３次元Ｂモードデータのヒストグラムにおける代表値に、前記ヒストグラムにおける散布度の定数倍の値を加算した値を、前記閾値として決定すること、
を特徴とする請求項１に記載の超音波診断装置。
【請求項６】
前記閾値決定部は、
前記ゲイン調整が実行された前記３次元Ｂモードデータのヒストグラムにおける代表値から、前記ヒストグラムにおける散布度の定数倍の値を減算した値を、前記閾値として決定すること、
を特徴とする請求項１に記載の超音波診断装置。
【請求項７】
前記定数倍を示す数値を入力する入力部をさらに具備する請求項５と請求項６とのうちいずれか一項に記載の超音波診断装置。
【請求項８】
前記画像発生部は、
前記管腔に関する超音波画像として、レンダリング画像と多断面再構成画像とのうち少なくとも一つを発生すること、
を特徴とする請求項１に記載の超音波診断装置。
【請求項９】
複数の超音波振動子を有する超音波プローブと、
前記超音波振動子各々に駆動信号を供給し、前記各超音波振動子によって発生された各受信エコー信号に基づいて、被走査領域に対応する受信信号を発生する送受信部と、
前記受信信号に基づいて、３次元Ｂモードデータを発生するＢモードデータ発生部と、
前記被走査領域内の各走査線における深さ、前記被走査領域におけるアジマス方向、前記被走査領域におけるエレベーション方向ごとに決定されたゲイン調整値を用いて、前記３次元Ｂモードデータに対するゲイン調整を実行するゲイン調整部とを具備し、
前記ゲイン調整部は、
前記アジマス方向の角度が同一である前記３次元Ｂモードデータを代表する第１の代表値と所定の基準値との第１の差と、
前記エレベーション方向の角度が同一である前記３次元Ｂモードデータを代表する第２の代表値と前記基準値との第２の差と、
前記深さが同一である前記３次元Ｂモードデータを代表する第３の代表値と前記基準値との第３の差とを、前記ゲイン調整値として決定すること、
を特徴とする超音波診断装置。
【請求項１０】
超音波画像を発生する画像発生部を更に具備し、
前記画像発生部は、
前記ゲイン調整が実行された３次元Ｂモードデータに基づいて、多断面再構成画像を発生すること、
を特徴とする請求項９に記載の超音波診断装置。
【請求項１１】
３次元Ｂモードデータを記憶する記憶部と、
前記３次元Ｂモードデータに基づいて、被走査領域内の各走査線における深さ、前記被走査領域におけるアジマス方向、前記被走査領域におけるエレベーション方向ごとに決定されたゲイン調整値を用いて、前記３次元Ｂモードデータに対するゲイン調整を実行するゲイン調整部と、
前記ゲイン調整が実行された前記３次元Ｂモードデータを用いて、前記被走査領域における管腔と非管腔との分割に用いられる閾値を決定する閾値決定部と、
前記決定された閾値を用いて、前記ゲイン調整が実行された３次元Ｂモードデータから前記非管腔に関するデータを区別する閾値処理を実行する閾値処理部と、
前記閾値処理が実行された３次元Ｂモードデータに基づいて、前記管腔に関する超音波画像を発生する画像発生部と、
を具備することを特徴とする医用画像処理装置。
【請求項１２】
コンピュータに、
超音波診断装置により発生された３次元Ｂモードデータを記憶させる記憶機能と、
前記３次元Ｂモードデータに基づいて、被走査領域内の各走査線における深さ、前記被走査領域におけるアジマス方向、前記被走査領域におけるエレベーション方向ごとに決定させたゲイン調整値を用いて、前記３次元Ｂモードデータに対するゲイン調整を実行させるゲイン調整機能と、
前記ゲイン調整が実行された前記３次元Ｂモードデータを用いて、前記被走査領域における管腔と非管腔との分割に用いられる閾値を決定させる閾値決定機能と、
前記決定された閾値を用いて、前記ゲイン調整が実行された３次元Ｂモードデータから前記非管腔に関するデータを区別する閾値処理を実行させる閾値処理機能と、
前記閾値処理が実行された３次元Ｂモードデータに基づいて、前記管腔に関する超音波画像を発生させる画像発生機能と、
を実現させることを特徴とする医用画像処理プログラム。
【請求項１３】
前記画像発生機能は、前記管腔に関する超音波画像として、レンダリング画像と多断面再構成画像とのうち少なくとも一つを発生させる機能をさらに実現させること、
を特徴とする請求項１２に記載の医用画像処理プログラム。
【手続補正２】
【補正対象書類名】明細書
【補正対象項目名】００１１
【補正方法】変更
【補正の内容】
【００１１】
本実施形態に係る超音波診断装置は、複数の超音波振動子を有する超音波プローブと、前記超音波振動子各々に駆動信号を供給し、前記各超音波振動子によって発生された各受信エコー信号に基づいて、被走査領域に対応する受信信号を発生する送受信部と、前記受信信号に基づいて、３次元Ｂモードデータを発生するＢモードデータ発生部と、前記被走査領域内の各走査線における深さ、前記被走査領域におけるアジマス方向、前記被走査領域におけるエレベーション方向ごとに決定されたゲイン調整値を用いて、前記３次元Ｂモードデータに対するゲイン調整を実行するゲイン調整部と、前記ゲイン調整が実行された前記３次元Ｂモードデータを用いて、前記被走査領域における管腔と非管腔との分割に用いられる閾値を決定する閾値決定部と、前記決定された閾値を用いて、前記ゲイン調整が実行された３次元Ｂモードデータから前記非管腔に関するデータを区別するための閾値処理を実行する閾値処理部と、前記閾値処理が実行された３次元Ｂモードデータに基づいて、前記管腔に関する超音波画像を発生する画像発生部と、を具備することを特徴とする。